(57)【要約】【課題】  数種類の大きさの印刷用用紙が供給可能であり、事務机等として使用可能であり、印刷用品等を備えておくことが可能なノート型パソコンの給紙装置システムを提供する。【解決手段】  ノート型パソコンの給紙装置システムは、収納した印刷用用紙を、所定の指示に応じて送り出す給紙装置単体（第一〜第三の給紙箱１０〜３０）を上下に積層してなる構成としてある。このようにすれば、給紙箱毎に異なるサイズの印刷用用紙を収納しておくことができるので、必要に応じて好みのサイズを指定して、印刷を実行することができる。また、机スペースＤＳを事務机等として、使用することができる。さらに、用具箱４０を備えたので、印刷用品等を予め用意しておくことができる。【選択図】    図１
2005130260.tif 000002
【特許請求の範囲】
【請求項１】
ノート型パソコンを載置して使用する給紙装置システムであって、
前記ノート型パソコンが、第一の筐体部と、第二の筐体部と、前記第一の筐体部及び／又は第二の筐体部に備えられて原稿を読み取るスキャナ手段と、該スキャナ手段の読み取り事項を表示可能な表示手段とを有し、
前記給紙装置システムが、収納した印刷用用紙を、所定の指示に応じて送り出す給紙装置単体を上下に積層してなる
ことを特徴とするノート型パソコンの給紙装置システム。
【請求項２】
請求項１記載のノート型パソコンの給紙装置システムにおいて、
給紙装置単体を上下に積層して使用する際の結合手段と、
下方の給紙装置単体から上方の給紙装置単体へ印刷用用紙を搬送する上昇搬送手段とを備えた
ことを特徴とするノート型パソコンの給紙装置システム。
【請求項３】
請求項２記載のノート型パソコンの給紙装置システムにおいて、
前記結合手段は、機構的結合手段と電気的結合手段とを備えてなる
ことを特徴とするノート型パソコンの給紙装置システム。
【請求項４】
請求項２記載のノート型パソコンの給紙装置システムにおいて、
前記上昇搬送手段は、前記給紙装置単体を積層した場合に、上下の給紙装置単体が連通してなる
ことを特徴とするノート型パソコンの給紙装置システム。
【請求項５】
請求項１〜請求項４のいずれかに記載のノート型パソコンの給紙装置システムにおいて、
前記給紙装置単体は、ジャム解消用の扉を備えた
ことを特徴とするノート型パソコンの給紙装置システム。
【請求項６】
請求項１〜請求項５のいずれかに記載のノート型パソコンの給紙装置システムにおいて、
最上段に前記ノート型パソコンを載置するスペース以外に、別のスペースを備えた
ことを特徴とするノート型パソコンの給紙装置システム。
【請求項７】
請求項１〜請求項６のいずれかに記載のノート型パソコンの給紙装置システムにおいて、最下段に用具箱を備えた
ことを特徴とするノート型パソコンの給紙装置システム。
【発明の詳細な説明】
【技術分野】
【０００１】
本発明は、ノート型パソコンの給紙装置システムに関し、特に、事務机等として使用することが可能であり、また、数種類の大きさの印刷用用紙を予め用意しておくことが可能であり、さらに、印刷用品等を当該ノート型パソコンの近くに備えておくことが可能なノート型パソコンの給紙装置システムに関する。
【背景技術】
【０００２】
先に、本願出願人は、所定用紙に手書きで記入された事項を印刷する際のミスプリントを無くすと共に、Ｂ５，Ａ４，Ｂ３など比較的大きな用紙へのプリントアウトを可能にし、かつ、ノート型パソコンを用いる業種の仕事の効率化を可能とするノート型パソコンの技術を提案した（例えば、特許文献１参照。）。
【０００３】
この提案は、図７〜図９に示すように、第一の筐体部（可動筐体部１１０）と第二の筐体部（固定筐体部１２０）とを備えてなるノート型パソコン１００において、第一の筐体部や第二の筐体部が、読取用原稿Ｐ１に記載されている事項を読み取るスキャナ手段（読取センサ１１５等）を有する構成としてある。
なお、図８中のＡは、読取用原稿Ｐ１を給紙する第一の給紙方向である。
【０００４】
また、第一の筐体部や第二の筐体部が、スキャナ手段で読み取られた事項を表示する表示手段（表示部１１１）を有する構成としてある。
さらに、第一の筐体部や第二の筐体部が、スキャナ手段で読み取られた事項を解析する解析手段（ＯＣＲ部、図示省略）と、この解析手段で解析されたデータを印刷する印刷手段（印字ヘッド１２４）とを有する構成としてある。
【０００５】
さらに、印刷用用紙Ｐ２を収納した給紙カセット手段に組み合わせて使用する印刷用用紙供給手段（図９の給紙装置１５０）を有する構成としてある。
１１２は第一の搬送路、１１２ｃは挿入口、１２１はキーボード、１２２は第二の搬送路、１２２ｃは排出口、１３０はヒンジ部である。
【０００６】
ここで、給紙装置１５０の構成および動作を、図９を参照しつつ詳細に説明する。
同図は、ノート型パソコン１００および給紙装置１５０の内部構成を示す断面側面図である。
同図に示すように、ノート型パソコン１００の固定筐体部１２０は、箱状の給紙装置１５０の上に載置することが可能である。この給紙装置１５０の上面は、固定筐体部１２０の底面部面積とほぼ同じ面積である。
【０００７】
給紙装置１５０の内部には、印刷用用紙Ｐ２を積層載置する載置板１５１が配置され、該載置板１５１の下面には給紙装置１５０の底板との間にコイルバネ１５２ａ，１５２ｂが配置されている。該コイルバネ１５２ａ，１５２ｂの付勢力により、印刷用用紙Ｐ２は載置板１５１を介して上方に持ち上げられる。
【０００８】
載置板１５１の上方には、（図９においては反時計方向に）回転駆動される給紙ローラ１５３が配置されている。さらに、この給紙ローラ１５３の側方には、斜め上方に（給紙孔１５５に向かって）印刷用用紙Ｐ２を搬送するガイド板１５４が配置されている。
【０００９】
給紙孔１５５は、給紙装置１５０からノート型パソコン１００の第二の搬送路１２２へ印刷用用紙Ｐ２を送り出すために、給紙装置１５０の上面隅に形成された孔である。この給紙孔１５５とガイド板１５４の上端部との間には、印刷用用紙Ｐ２を上方にガイドするガイド部材１５６が配置されている。
【００１０】
固定筐体部１２０のフラッパ１２２ｅは、第二の搬送路１２２の受入口１２２ｄ（給紙装置１５０から送られてきた印刷用用紙Ｐ２を第二の搬送路１２２が受け入れるための開口部）の近傍に配置される。
即ち、ガイド板１５４と給紙孔１５５とガイド部材１５６とフラッパ１２２ｅとによって、印刷用用紙Ｐ２の給紙路（第二の給紙方向Ｃ）が形成される。
【００１１】
そして、給紙装置１５０からノート型パソコン１００の第二の搬送路１２２へ給紙する場合には、先ず、フラッパ１２２ｅを第二の搬送路１２２の受入口１２２ｄを開くような位置にセットし、給紙装置１５０の上蓋に第二の給紙方向Ｃが形成されるように、ノート型パソコン１００を載置する。
この状態でキーボード１２１等を用いて、給紙装置１５０からの印刷用用紙Ｐ２の給紙を行なう旨の所定の指示入力を行う。
【００１２】
所定の指示入力により、給紙ローラ１５３が（図９においては反時計方向に）に回転し、最上位の印刷用用紙Ｐ２を一枚、ガイド板１５４方向に送り出し、第二の給紙方向Ｃに沿って給紙孔１５５から受け入れ口１２２ｄへ送り、搬送ローラ１２３ｃの間に送り込む。すると、印刷用用紙Ｐ２は、第二の搬送路１２２を搬送され、印字ヘッド１２４により、予めメモリ（図示省略）に格納された画像データが印刷される。
やがて、印刷が終了すると印刷済みの印刷用用紙Ｐ２は、排出口１２２ｃから排出され、所定の指示入力に対応した全ての印刷の終了を排紙検知センサ（図示省略）が検知すると、給紙ローラ１５３の回転等の、給紙装置１５０の機能が停止する。
【００１３】
このような技術内容のノート型パソコンによれば、例えばＡ４版のノート型パソコン１００の第一の筐体部１１０には、スキャナ手段（読取センサ１１５等）が備えられているので、用紙を読み取り、ОＣＲ部（図示省略）で手書き文字を解析し、印刷用のデータに変換して印刷できる。従って、手書き文字を、人間が端末装置（パソコン）へキー入力する際の入力ミスが無くなり、例えば、Ａ４版などの大きな用紙を扱うことも可能となる。
【００１４】
また、ノート型パソコンを使用する業種（例えば、生命保険業界のセールスレディ）においては、紙媒体に手書きで記入された記載事項をキー入力しなくてもスキャナ手段で読み取ってデータ化できるため、仕事の効率化を図ることができる。
さらに、図９に示したように、給紙装置１５０を使用すれば、大量に印刷する場合に、大変便利である。
【特許文献１】特願２００３−１８１４０６号公報
【発明の開示】
【発明が解決しようとする課題】
【００１５】
しかしながら、図９に示したノート型パソコンにおいては、印刷用用紙Ｐ２を、例えばＡ４版が一種類のみしかセットしておくことができなかった。このため、例えばＢ５版の印刷用用紙を使用したい場合には、給紙装置１５０の蓋（図示省略）を外し、Ｂ５版の印刷用用紙に置き換える必要があった。即ち、数種類の大きさの印刷用用紙を使用する必要がある場合には、使い勝手が悪いものとなっていた。
【００１６】
また、通常、ノート型パソコンを使用する場合には、例えば、事務机や学習机の上にノート型パソコンを載置し、パソコン使用者が椅子に腰掛けてキーボード入力，印刷等を行うことが多かった。そして、パソコン使用者は、その使用と並行して、資料を参照したり、印字出力した用紙の記載内容を推敲したり、必要事項を書き留めたりする作業を行っていた。このため、卓上には、ノート型パソコンを載置するスペースの他に、作業用スペースを設けることが望ましかった。
【００１７】
さらに、大量に印刷する場合には、トナーや印刷用インキや数種類の大きさの印刷用用紙をスペアとして、ノート型パソコンの近くに用意しておくことができれば、大変便利であった。
【００１８】
本発明は、上記の問題を解決すべくなされたものであり、事務机等として使用することが可能であり、また、数種類の大きさの印刷用用紙を予め用意しておくことが可能であり、さらに、印刷用品等を当該ノート型パソコンの近くに備えておくことが可能なノート型パソコンの給紙装置システムの提供を目的とする。
【課題を解決するための手段】
【００１９】
この目的を達成するために本発明のノート型パソコンの給紙装置システムは、ノート型パソコンを載置して使用する給紙装置システムであって、ノート型パソコンが、第一の筐体部（図８の可動筐体部１１０）と、第二の筐体部（固定筐体部１２０）と、第一の筐体部及び／又は第二の筐体部に備えられて原稿を読み取るスキャナ手段（読取センサ１１５）と、該スキャナ手段の読み取り事項を表示可能な表示手段（表示部１１１）とを有し、給紙装置システム（図１のＫＳ）が、収納した印刷用用紙（Ｐ２等）を、所定の指示に応じて送り出す給紙装置単体（第一〜第三の給紙箱１０〜３０）を上下に積層してなる構成としてある。
【００２０】
この構成を図示すると、例えば図１，図３に示すようになる。このようにすれば、給紙箱毎に異なるサイズの印刷用用紙を収納しておくことができるので、必要に応じて好みのサイズを指定して、印刷を実行することができる。
【００２１】
また、本発明のノート型パソコンの給紙装置システムは、請求項１記載のノート型パソコンの給紙装置システムにおいて、給紙装置単体（図４の例えば、第一の給紙箱１０と第二の給紙箱２０）を上下に積層して使用する際の結合手段（嵌合穴１４，嵌合ピン２５−１，コネクタ収納凹部１５，コネクタ５０−１等）と、下方の給紙装置単体から上方の給紙装置単体へ印刷用用紙を搬送する上昇搬送手段（例えば、図４の第二の上昇搬送路Ｅ，給紙ローラ１５３−３）とを備えた構成としてある。
【００２２】
この構成を図示すると、例えば図４に示すようになる。このようにすれば、結合手段により、上下の給紙装置単体をしっかり固定するので、ズレを起こすことが無い。また、上昇搬送手段により、印刷用用紙をスムーズに上方へ、上昇搬送することができる。
【００２３】
また、本発明のノート型パソコンの給紙装置システムは、請求項２記載のノート型パソコンの給紙装置システムにおいて、結合手段は、機構的結合手段（図４の嵌合穴１４，嵌合ピン２５−１等）と電気的結合手段（コネクタ収納凹部１５，コネクタ５０−１等）とを備えてなる構成としてある。
【００２４】
この構成を図示すると、例えば図２，図４に示すようになる。このようにすれば、機構的結合手段により上下の給紙装置単体をしっかり固定し、電気的結合手段により、信号線および電源線を各給紙装置単体に配線することができる。
【００２５】
また、本発明のノート型パソコンの給紙装置システムは、請求項２記載のノート型パソコンの給紙装置システムにおいて、上昇搬送手段は、給紙装置単体を積層した場合に、上下の給紙装置単体が連通してなる構成としてある（図４の第一の上昇搬送路Ｄと第二の上昇搬送路Ｅが連通している）。
【００２６】
この構成を図示すると、例えば図４に示すようになる。このようにすれば、上下の給紙装置単体で連通しているので、例えば、第三の給紙箱３０に収納された印刷用用紙でも、ノート型パソコン１００の給紙孔１５５まで、スムーズに上昇搬送することができる。
【００２７】
また、本発明のノート型パソコンの給紙装置システムは、請求項１〜請求項４のいずれかに記載のノート型パソコンの給紙装置システムにおいて、給紙装置単体（例えば、図４の第一の給紙箱１０）は、ジャム解消用の扉（扉１３−１等）を備えた構成としてある。
この構成を図示すると、例えば図４に示すようになる。このようにすれば、給紙装置単体でジャムが発生しても、ジャム解消扉を開いてジャムを解消することができる。
【００２８】
また、本発明のノート型パソコンの給紙装置システムは、請求項１〜請求項５のいずれかに記載のノート型パソコンの給紙装置システムにおいて、最上段にノート型パソコンを載置するスペース以外に、別のスペース（図１（Ｂ）の机スペースＤＳ）を備えた構成としてある。
【００２９】
この構成を図示すると、例えば図１（Ａ），（Ｂ）に示すようになる。このようにすれば、別のスペース（机スペース）を、例えば、事務机として使用することが可能となり、床面積の有効利用ができる。
【００３０】
また、本発明のノート型パソコンの給紙装置システムは、請求項１〜請求項６のいずれかに記載のノート型パソコンの給紙装置システムにおいて、最下段に用具箱（図１の４０）を備えた構成としてある。
【００３１】
この構成を図示すると、例えば図１（Ａ）に示すようになる。このようにすれば、用具箱に印刷に必要な印刷用用紙やトナーを予備品として収納しておくことができ、便利である。
【発明の効果】
【００３２】
本発明によれば、給紙装置システムに給紙箱（給紙装置単体）が複数積層されているため、それら給紙箱毎に異なるサイズの印刷用用紙を収納しておくことができる。このため、用紙サイズを変更するたびに用紙をセットし直すといった手間を省くことができ、必要に応じて好みのサイズをノート型パソコン上で指定（キーボード等で入力）して、印刷を実行することができる。
【００３３】
また、給紙装置システムの上面には、ノート型パソコンを載置するスペースの他に自由に使用できる作業スペースが設けられるため、この作業スペース（机スペース）を含め、事務机として使用することが可能となり、多様化を図ることができる。
しかも、給紙装置システムの最下段に用具箱を備え、この用具箱に印刷に必要な印刷用用紙やトナーを予備品として収納しておくことができるため、利便性の向上を図ることができる。
【００３４】
さらに、各給紙装置単体を構造的（物理的）に接続する結合手段により、上下の給紙装置単体をしっかり固定するので、ズレを起こすことが無い。また、上昇搬送手段により、印刷用用紙をスムーズに上方へ、上昇搬送することができる。
しかも、機構的結合手段により上下の給紙装置単体をしっかり固定し、電気的結合手段により、信号線および電源線を各給紙装置単体に配線することができる。
【００３５】
また、上下の給紙装置単体で連通しているので、最下方の給紙装置単体に収納された印刷用用紙でも、ノート型パソコンの給紙孔まで、スムーズに上昇搬送することができる。
さらに、給紙装置単体でジャムが発生しても、ジャム解消扉を開いてジャムを解消することができる。
【発明を実施するための最良の形態】
【００３６】
個々の給紙装置単体に、サイズの異なる印刷用用紙を収納しておき、この状態の給紙装置単体を複数積層することにより、異なるサイズの印刷用用紙を給紙可能にする。また、給紙装置単体の上面の大きさを十分確保し、例えば、事務机等としても使用可能にする。さらに、積層した給紙装置単体の最下段にはスペアの印刷用用紙等を収納しておく用具箱を備える。
【００３７】
［実施形態］
本実施形態の説明を、「機構的および電気的な概念構成の説明」と、「機構的な細部構成の説明」と、「動作説明」に分けて行う。なお、既に説明済みの部分には同一符号を付し、重複説明を省略する。
【００３８】
（１）機構的および電気的な概念構成の説明
図１は、本実施形態の給紙装置システムＫＳを示す概念図であって、（Ａ）は側断面図、（Ｂ）は平面図（上面図）である。図２は、本実施形態の電気系統の回路図である。図３は、本実施形態で使用する電気的コネクタを示す図であって、（Ａ）は接続状態における断面図、（Ｂ）は分離状態における斜視図である。
【００３９】
先ず、図１（Ａ），（Ｂ）および図２に基づいて、給紙装置システムＫＳの構成概念を説明する。
図１（Ａ），（Ｂ）に示すように、給紙装置システムＫＳは、上から順に第一の給紙箱１０と、第二の給紙箱２０と、第三の給紙箱３０と、用具箱４０とを備えてなる。なお、４１ａ，４１ｂはキャスタである。
【００４０】
給紙装置システムＫＳの上面の所定位置にノート型パソコン１００を載置して、キーボード入力，印刷等を行う。ＤＳは、机スペースであり、図１（Ａ），（Ｂ）の左方に図示省略の椅子を備えれば、机スペースＤＳを、例えば事務机として使用することが可能である。
【００４１】
第一〜第三の給紙箱１０，２０，３０は、何れも同一寸法の箱状をなしており、何れの給紙箱も印刷用用紙を補給する際に開閉する蓋（図示省略）を備えている。
用具箱４０の上下面の面積は、第一〜第三の給紙箱１０，２０，３０の上下面面積と同一である。
【００４２】
第一の給紙箱１０には、例えばＡ４版の印刷用用紙Ｐ２を積層収納してあり、同様に第二の給紙箱２０にはＢ５版、第三の給紙箱３０にはＢ４版をそれぞれ積層収納することができる。つまり、各給紙箱には、異なったサイズの用紙を収納できる。ただし、各給紙箱は、それぞれ同じサイズの用紙を収納することも可能である。
なお、各給紙箱１０〜３０は、Ａ４版，Ｂ５版，Ｂ４版の用紙をそれぞれ収納することとしているが、これらＡ４版，Ｂ５版，Ｂ４版の用紙をそれぞれ収納することに限るものではなく、他のサイズの用紙を収納可能である。
【００４３】
用具箱４０は、収納物を出し入れするための扉と、内部にスライド式のトレイを備えることができ（図示省略）、各種サイズの印刷用用紙やトナー等の印刷に必要な部材その他を収納することが可能となっている。
【００４４】
第一の給紙箱１０には、下方から上昇搬送されてきた印刷用用紙をガイドする上昇路１６が所定位置（例えば、ノート型パソコン１００の載置位置の下方）に形成されており、同様に、第二の給紙箱２０にも上昇路２４が形成されている。
また、上昇路１６の下端部には、第二の給紙箱２０に備えられた連通管２２−１が挿入される。同様に、上昇路２４には第三の給紙箱３０に備えられた連通管２２−２が挿入される。
【００４５】
即ち、下から順に、連通管２２−２→上昇路２４→連通管２２−１→上昇路１６→給紙孔１５５と一直線に連通されることになり、例えば、第三の給紙箱３０からノート型パソコン１００へ給紙する場合でも、印刷用用紙のスムーズな上昇搬送を確保することができる。
【００４６】
また、第一の給紙箱１０と第二の給紙箱２０とは、２本の嵌合ピン２５−１で嵌合し、同様に第二の給紙箱２０と第三の給紙箱３０、および第三の給紙箱３０と用具箱４０とは、それぞれ２本の嵌合ピン２５−２，２１−３で嵌合する。従って、給紙箱の相互間、および第三の給紙箱３０と用具箱４０との相互間が、機械的にズレてしまうことはない。
なお、本実施形態においては、嵌合ピン２５を各給紙箱間に２本ずつ設けることとしているが、２本ずつに限るものではなく、１本ずつや３本ずつ以上設けることもできる。
【００４７】
また、図１（Ａ）に示すように、第一の給紙箱１０と第二の給紙箱２０と第三の給紙箱３０とを積載したときの高さは、３９０［ｍｍ］程度とするのが望ましく、さらに、用具箱４０を積載したときの高さは、７００［ｍｍ］程度とするのが望ましい。
さらに、給紙装置システムＫＳの上面は、図１（Ｂ）に示すように、５５０［ｍｍ］以内×５２０［ｍｍ］程度とするのが望ましく、ノート型パソコン１００の載置幅は、２５０［ｍｍ］以内とするのが望ましい。
５０−１と５０−２は、電気的接続用のコネクタである（次に説明する）。
【００４８】
また、図２に示すように、ノート型パソコン１００の電気系供給部１６０には、信号線１６１および電源線１６２が接続されている。
信号線１６１は、各給紙箱１０〜３０に設けられたモータ制御部１７に所定の信号を送るための配線である。
電源線１６２は、モータ制御部１７やモータ１８へ電源を供給するための配線である。
これら信号線１６１および電源線１６２は、第一の給紙箱１０と第二の給紙箱２０との間では、コネクタ５０−１に接続されており、さらに、第二の給紙箱２０と第三の給紙箱３０との間では、コネクタ５０−２に接続されている。
【００４９】
各給紙箱１０，２０，３０には、それぞれ給紙ローラ１５３を回転駆動するためのモータ制御部１７−１，１７−２，１７−３と、モータ１８―１，１８−２，１８−３とが配置されている。これらモータ制御部１７やモータ１８を備えることで、ノート型パソコン１００のキーボード１２１からの入力により、どの給紙箱から、どの大きさの印刷用用紙を給紙するかを指示することができる。
【００５０】
ここで、図１（Ａ）〜図３（Ａ），（Ｂ）に基づいて、コネクタ５０の取り付け構造およびコネクタ５０の構成を説明する。このコネクタ５０は、本願出願人が先に提案した技術を用いることができる（例えば、特開平１０―２２４５３３号公報参照。）。
図１（Ａ）〜図３（Ａ），（Ｂ）に示すように、コネクタ５０は、雄接点５１ａを備えた雄コネクタ５１と、雌接点５２ａを備えた雌コネクタ５２とからなる。
【００５１】
そして、第一の給紙箱１０の筐体１１の底面には、コネクタ収納凹部１５を形成し、このコネクタ収納凹部１５に雌コネクタ５２を固定する。当然、信号線１６１と電源線１６２とは、雌コネクタ５２に接続する（図２参照）。
また、第二の給紙箱２０の筐体２１の上面には、雄コネクタ５１を固定する。
かかる構成のコネクタ５０を使用することにより、上下に配置した給紙箱相互間の信号線および電源線を接続する。
【００５２】
（２）機構的な細部構成の説明
図４は、本実施形態におけるノート型パソコンの給紙装置システムの一部拡大側断面図である。
なお、第一〜第三の給紙箱１０〜３０の基本的構成はそれぞれ同一であり、多少の変更点があるだけなので、先ず、第一の給紙箱１０を説明し、第二と第三の給紙箱２０，３０の説明では、相違点のみを説明する。
【００５３】
図４に示すように、第一の給紙箱１０は、箱状の筐体１１を有し、この筐体１１における一つの側面（たとえば、印刷用用紙Ｐ２が搬送される経路に近い側面など）の下隅には、ヒンジ１２が配置されている。
ヒンジ１２には、このヒンジ１２を中心に回動可能な扉１３が取り付けられている。
扉１３は、ヒンジ１２が取り付けられた筐体１１の側面の全体又は一部を蓋したり開いたりする程度の大きさに形成されている。
この扉１３を開くことにより、後述の印刷用用紙の上昇搬送時等に発生したジャムを、使用者が解消することができる。
【００５４】
筐体１１の内部には、載置板１５１，給紙ローラ１５３，ガイド板１５４，ガイド板支え１５４ａ等が所定の位置に配置されている。
筐体１１の底面の所定の位置には、第二の給紙箱２０の上面に取り付けた嵌合ピン２５−１と嵌合する嵌合穴１４が形成されており、さらに、この嵌合穴１４の近傍にコネクタ収納凹部１５が形成されている。
【００５５】
載置板１５１の側板の上端には、分離爪１５１ａが内側に向けて突設形成されている。この分離爪１５１ａを設けると、図５に示すように、給紙ローラ１５３が（同図において反時計方向に）回転して印刷用用紙Ｐ２を右方に送る際に、分離爪１５１ａにより印刷用用紙Ｐ２の右端部が撓む。やがて撓みが極限に達し、右端部が分離爪１５１ａから離れる際には、勢い良く給紙孔１５５に向かって進むようにすることができる。
【００５６】
第一の給紙箱１０の底面右下隅には、第二の給紙箱２０の上面右隅に取り付けたラッパ状の連通管２２−１の先端部を挿入する挿入孔（符号無し）を形成する。
扉１３−１とガイド板支え１５４ａにより、第一の上昇搬送路Ｄが形成される。
【００５７】
第二の給紙箱２０は、第一の給紙箱１０が備えているガイド板１５４，ガイド部材１５６等の代わりに、上斜面を印刷用用紙Ｐ２が滑走し易いようにカーブさせたガイドリブ２３−１と、連通管２２−１とを備える。ガイドリブ２３−１と扉１３−２により第二の上昇搬送路Ｅが形成される。
【００５８】
連通管２２−１の下端部はラッパ状に開いているので、給紙ローラ１５３から搬送されて印刷用用紙Ｐ２と、第二の上昇搬送路Ｅを上昇してきた印刷用用紙Ｐ２の双方を上方の第一の上昇搬送路Ｄに搬送することが可能である。
第三の給紙箱３０と第二の給紙箱２０との相違点は、第三の給紙箱３０の底面には、コネクタ収納凹部とコネクタが無いだけで、その他はほぼ同じである。
【００５９】
（３）動作説明
次に、本実施形態の動作を、図６を参照しつつ説明する。同図は、本実施形態のフローチャート図である。
同図に示すように、ノート型パソコン１００の使用者は、電源スイッチを投入しノート型パソコンを立ち上げる（ステップＳ１）。この立ち上げにより、ノート型パソコン１００が使用可能となり、電気系供給部１６０から信号線１６１，電源線１６２を介して、給紙装置システムＫＳに信号，電源が供給可能となる。
【００６０】
次いで、印刷を実行しない場合は（ステップＳ２：ＮＯ）、一般的なパソコン機能（文章入力，描画等）を使用し（ステップＳ３）、やがてノート型パソコン１００の使用を中止する。
印刷を実行する場合は（ステップＳ２：ＹＥＳ）、キーボード１２１から印刷内容を指定する（ステップＳ４）。印刷内容の指定には、文章指定，図面指定，ページ指定，枚数指定等がある。
【００６１】
次いで、印刷用用紙のサイズを指定する（ステップＳ５）。この給紙装置システムＫＳには、Ａ４版，Ｂ５版，Ｂ４版の３種類の印刷用用紙が選択可能に準備されているので（図１参照）、キーボード１２１から、例えば、Ｂ４版を指定し、印刷開始を入力すると仮定する。
【００６２】
すると、第三の給紙箱３０から最上位のＢ４版用紙が給紙ローラ１５３の回転により分離され、ガイドリブ２３の上を滑走して連通管２２−２に到達する。さらに、上昇路２４，上昇路１６を介して給紙孔１５５に到達し、印字ヘッド１２４（図８参照）の位置に到達すると（用紙搬送、ステップＳ６ａ）、印刷を実行する（ステップＳ７ａ）。
【００６３】
複数枚の印刷を行う場合には（ステップＳ８ａ：ＮＯ）、ステップＳ６ａ〜８ａを繰り返し、やがて印刷が終了する（ステップＳ８ａ：ＹＥＳ）。そして、別の印刷内容があったり、同じ文章を異なるサイズの印刷用用紙に印刷したりする場合は、ステップＳ４に戻る（ステップＳ９：ＮＯ）。全ての印刷が終了した場合には（ステップＳ９：ＹＥＳ）、エンドとなる。
【００６４】
なお、Ａ４版やＢ５版の印刷を実施する場合であっても、Ｂ４版の場合と同様の処理を行う（ステップＳ６ｂ〜Ｓ８ｂ、Ｓ６ｃ〜Ｓ８ｃ）。
また、給紙箱をさらに積層する場合には（例えば、給紙箱を５段積層など）、印刷用用紙が確実に上昇搬送されるように、上昇路に上昇ローラ対を配置し、この上昇ローラ対で印刷用用紙を挟持して上昇搬送すると良い。
【００６５】
以上、本発明のノート型パソコンの給紙装置システムの好ましい実施形態について説明したが、本発明に係るノート型パソコンの給紙装置システムは上述した実施形態にのみ限定されるものではなく、本発明の範囲で種々の変更実施が可能であることは言うまでもない。
【００６６】
例えば、上述した実施形態では、嵌合ピンを、第一の給紙箱と第二の給紙箱との間、第二の給紙箱と第三の給紙箱との間、第三の給紙箱と用具箱との間にそれぞれ一つずつ設けてあるが、それぞれ一つずつ設けることに限るものではなく、それぞれ二つ以上ずつ設けることもできる。
また、コネクタについても、同様に、第一の給紙箱と第二の給紙箱との間、第二の給紙箱と第三の給紙箱との間にそれぞれ一つずつ設けてあるが、それぞれ一つずつ設けることに限るものではなく、それぞれ二つ以上ずつ設けることもできる。
【産業上の利用可能性】
【００６７】
ノート型パソコンに、電子メール機能やファクシミリ機能を備えれば、さらにノート型パソコンの使い勝手を、よくすることが出来る。
【図面の簡単な説明】
【００６８】
【図１】本発明の実施形態の給紙装置システムを示す概念図であって、（Ａ）は側断面図、（Ｂ）は平面図である。
【図２】同実施形態の電気系統の回路図である。
【図３】同実施形態で使用する電気的コネクタを示す図であって、（Ａ）は接続状態における断面図、（Ｂ）は分離状態における斜視図である。
【図４】同実施形態の一部拡大側断面図である。
【図５】同実施形態における、印刷用用紙が分離爪から勢い良く飛び出す状態を説明する側面図である。
【図６】同実施形態のフローチャート図である。
【図７】先に本願出願人が提案したノート型パソコンの外観斜視図である。
【図８】同ノート型パソコンの概略側面図である。
【図９】同ノート型パソコンを給紙装置に載置して使用する場合の側断面図である。
【符号の説明】
【００６９】
ＫＳ  給紙装置システム
Ｐ１  読取用原稿
Ｐ２  印刷用用紙
Ａ  第一の給紙方向
Ｃ  第二の給紙方向
Ｄ  第一の上昇搬送路
ＤＳ  机スペース
Ｅ  第二の上昇搬送路
１０  第一の給紙箱
１１  筐体
１２  ヒンジ
１３  扉
１４  嵌合穴
１５  コネクタ収納凹部
１６  上昇路
１７  モータ制御部
１８  モータ
２０  第二の給紙箱
２２  連通管
２３  ガイドリブ
２４  上昇路
２５  嵌合ピン
３０  第三の給紙箱
４０  用具箱
４１ａ，４１ｂ  キャスタ
５０  電気的接続用のコネクタ
５１  雄コネクタ
５１ａ  雄接点
５２  雌コネクタ
５２ａ  雌接点
１００  ノート型パソコン
１１０  可動筐体部
１１１  表示部
１１２  第一の搬送路
１１２ｃ  挿入口
１１５  読取センサ
１２０  固定筐体部
１２１  キーボード
１２２  第二の搬送路
１２２ｃ  排出口
１２２ｄ  受入口
１２２ｅ  フラッパ
１２３ｃ  搬送ローラ
１２４  印字ヘッド
１３０  ヒンジ部
１５０  給紙装置
１５１  載置板
１５１ａ  分離爪
１５２ａ，１５２ｂ  コイルバネ
１５３  給紙ローラ
１５４  ガイド板
１５４ａ  ガイド板支え
１５５  給紙孔
１５６  ガイド部材
１６０  電気系供給部
１６１  信号線
１６２  電源線
【図１】
2005130260.tif 000003
【図２】
2005130260.tif 000004
【図３】
2005130260.tif 000005
【図４】
2005130260.tif 000006
【図５】
2005130260.tif 000007
【図６】
2005130260.tif 000008
【図７】
2005130260.tif 000009
【図８】
2005130260.tif 000010
【図９】
2005130260.tif 000011